(57)【要約】ベアリング（１８）に取りつけられた回転インペラ（２４）を内蔵する空気駆動オルタネータタービン（１４）を有する静電スプレーガンは、耐溶剤材料でコーティングされたベアリング（１８）を備えている。このコーティングはインペラ（２４）を収容している内径（１８Ａ）を除くベアリング（１８）の全ての面に施される。この構造はオイルがベアリング（１８）から漏れ出し空気の流れに入るのを防止し、又、スプレーガン（１０）がこのように浸された場合に塗料に対して耐性がある。
2004526567.tif 000002
【特許請求の範囲】
【請求項１】
内蔵型電力供給装置を有する静電スプレーガン１０において、前記電力供給装置はオルタネータタービンセット１４を有し、前記タービンは空気の流れにさらされる少なくとも１つのベアリング１８に取りつけられた空気駆動インペラ２４を有し、前記ベアリング１８は内径１８Ａを有し、改良として前記ベアリングを耐溶剤コーティングでコーティングし、前記コーティングは前記内径１８Ａを除き完全に前記ベアリングを覆う静電スプレーガン。
【請求項２】
前記コーティングがフルオロポリマーベースの材料よりなる請求項１に記載の静電スプレーガン。
【請求項３】
前記ベアリングが多孔性青銅材料よりなる請求項１の静電スプレーガン。
【請求項４】
前記ベアリング１８が内部に潤滑油を有する請求項３に記載の静電スプレーガン。
【発明の詳細な説明】
【技術分野】
【０００１】
高転移効率が好ましい塗料や、他のコーティング材を塗布する場合に用いられる静電スプレーガンは周知である。
【背景技術】
【０００２】
例えば、アメリカ合衆国特許第４，５５４，６２２号、４，４６２，０６１号、４，２９０，０９１号、４，３７７，８３８号及び４，４９１，２７６号に開示されているような内蔵式電力供給装置を有する静電スプレーガンは周知である。このようなアプリケータは、充電用電圧を供給するための電圧倍増を提供するオルタネータを駆動する空気タービンを有する。
【０００３】
このような製品においては、ベアリングはマグネットを保持し、マグネットがその軸周りを回転することを許容するために利用される。通常の操作においては、空気は内部インペラを通過してマグネットを回転させ、ワイヤコイル内部のこのような回転はアプリケータ用の電力を供給する。その後、この空気は別個の空気通路を通りアプリケータの外部へ排出される。アプリケータ内のこのようなベアリングの配置は、ベアリングの上部で周囲に位置する空気通路がベアリングからわずかな量の潤滑油を取り去ることを可能にする。この潤滑油のために、ベアリングが潤滑油で汚染されることを防止するために、この吐出空気は塗料を噴出するために用いられる空気から分離されなければならない。
【０００４】
溶剤でアプリケータを洗浄中に、このような液体溶媒は空気通路を通ってベアリングへ流入し得るので、この溶剤がベアリングから潤滑油を取り去り、その結果ベアリングの誤作動を起こしうる。又、もしもエアキャップが適切に締められていないと、塗料はアプリケータへ逆流し、オルタネータ空気通路とベアリングが塗料で充満し、結果、オルタネータを取り外して取り換えることを余儀なくされる。
【０００５】
【特許文献１】
アメリカ合衆国特許第４，５５４，６２２号公報
【特許文献２】
アメリカ合衆国特許第４，４６２，０６１号公報
【特許文献３】
アメリカ合衆国特許第４，２９０，０９１号公報
【特許文献４】
アメリカ合衆国特許第４，３７７，８３８号公報
【特許文献５】
アメリカ合衆国特許第４，４９１，２７６号公報
【発明の開示】
【０００６】
本願の目的は、上述した故障の原因を取り除き、ベアリングの寿命を延ばすことである。
【０００７】
このようなベアリングは、青銅の粉末金属をプレスしてベアリングの形にし、プレスされたベアリングをその後にその最終寸法に機械加工して製造される。この過程によって、スポンジと同様に液体を保持できる多孔性の金属形状がつくられる。それから、ベアリングはオイル中に置かれ、減圧して空気を除去し、空気とオイルとを置換する。その後、過剰なオイルは拭き取られ、シャフトがベアリング内径内を回転する際に、多孔性のベアリング材料はシャフトの潤滑剤として作用する潤滑油を保持する。このような自己潤滑式ベアリングは、ＯＩＬＩＴＥベアリングとしてしばしば称される周知の従来技術のベアリングを構成する。
【０００８】
本発明において、ベアリングの表面は、例えばＸＹＬＡＮフルオロポリマーベースのコーティング材料（好ましい実施形態）、エポキシベースの塗料、焼成粉体塗料又は他の均等物のような、薄い耐溶剤コーティング剤によりコーティング加工が施される。ベアリングはシャフトが回転する内径を除き完全にコーティングされる。コーティングが適切に硬化した後、ベアリングは潤滑油のコンテナに入れられ、減圧して空気を抜き、露出した内径を通して多孔性のベアリングに充填される。
【０００９】
この結果、露出領域（内径）は最小となり、これにより潤滑油の除去と汚染物質の侵入を最少にする。もしも、ベアリングが溶媒又は塗料の汚れに直面したとしても、この過程はベアリングの寿命を延ばす。このことは、又、ベアリングが塗料や溶剤と接触したときに単にコーティング部分を洗浄するだけで、ユーザーが現在のベアリングを再利用することを可能にする。必要であれば、ユーザーは再利用する前に少量のオイルを内径に追加することが出来る。このようなベアリングのコーティングは、空気がベアリングの上を通過するときに、ベアリング内に含まれた少量の潤滑材を吹きとばすのを防止することができる。これはアプケータに追加の吐出口を設ける必要をなくし、空気を塗料の塗布に利用されるオルタネータへの動力供給に利用することを可能にする。この結果、消費空気の節約になり、単純な構造の空気通路によってより小さくより軽い製品をもたらす。
【００１０】
本発明のこれらおよびその他の利点は添付の図面に関連してなされる以下の説明より十分に明らかになるであろう。
【発明を実施するための最良の形態】
【００１１】
図１で全体図が示されている本発明の静電ガン１０は、入口空気通路１２、オルタネータタービンアセンブリ１４及びエアキャップ１６を有する。オルタネータアセンブリ１４は図２に更に詳しく示されており、ベアリング１８、シャフト２０に取りつけられたマグネット２０、及びシャフト２２に取り付けられたインペラ２４を有する。ベアリング１８は図３に詳細に示されており、コーティングされていない内径１８Ａを除きＸＹＬＡＮフルオロポリマーベースのコーティング材（好ましい実施形態）、エポキシベースの塗料、又は焼成粉体コーティングによりコーティングされている。
【００１２】
コーティングを施した後、ベアリングは潤滑油を含みかつ減圧されたコンテナ内に置かれ、それにより、空気を多孔性ベアリングから除去して、潤滑油が後の利用のためにベアリングに浸透することを可能にする。
【００１３】
以下の特許請求の範囲によって規定される発明の精神及び範囲から逸脱することなく静電スプレーガンに様々な変更及び変形をなすことができることが考えられる。
【図面の簡単な説明】
【００１４】
【図１】本発明に用いられる静電スプレーガンの分解図である。
【図２】本発明に用いられるオルタネータアッセンブリの断面図である。
【図３】本発明に用いられらるベアリングの正面図である。
【国際公開パンフレット】
2004526567.tif 000003
2004526567.tif 000004
2004526567.tif 000005
2004526567.tif 000006
2004526567.tif 000007
2004526567.tif 000008
2004526567.tif 000009
【国際調査報告】
2004526567.tif 000010